(57)【特許請求の範囲】
【請求項１】
高速フーリエ変換または復調した複数のＯＦＤＭシンボル（以下、「複数の供給ＯＦＤＭシンボル」と略称する）を受信するステップ；
高速フーリエ変換過程を経る第１の入力ＯＦＤＭシンボルであるか、それとも精密周波数同期化過程を経る第２の入力ＯＦＤＭシンボルであるかを区分するステップ；及び
前記複数の供給ＯＦＤＭシンボルを用いて前記第１の入力ＯＦＤＭシンボルであるか、それとも前記第２の入力ＯＦＤＭシンボルであるかによって互いに異なる形に前記第１または第２の入力ＯＦＤＭシンボルの保護区間を設定するステップ；
を含むことを特徴とするＯＦＤＭシンボル時間同期化方法。
【請求項２】
前記保護区間は、
前記保護区間の長さが既に設定されていることを特徴とする、請求項１に記載のＯＦＤＭシンボル時間同期化方法。
【請求項３】
前記第１または第２の入力ＯＦＤＭシンボルの保護区間を設定するステップは、
前記第１または第２の入力ＯＦＤＭシンボルの保護区間を前記複数の供給ＯＦＤＭシンボルのチャンネルインパルス応答（Ｃｈａｎｎｅｌ  Ｉｍｐｕｌｓｅ  Ｒｅｓｐｏｎｓｅ、ＣＩＲ）を用いて設定することを特徴とする、請求項１に記載のＯＦＤＭシンボル時間同期化方法。
【請求項４】
前記第１の入力ＯＦＤＭシンボルの保護区間は、
前記複数の供給ＯＦＤＭシンボルのチャンネルの構成成分のパワーを最大に含むように設定されることを特徴とする、請求項２または３に記載のＯＦＤＭシンボル時間同期化方法。
【請求項５】
前記第１の入力ＯＦＤＭシンボルの保護区間は、
前記複数の供給ＯＦＤＭシンボルのチャンネルの構成成分のパワーを最大に含むために、前記保護区間の既に設定された長さの間に存在する複数の供給ＯＦＤＭシンボルのチャンネルインパルス応答の和が最大になるように設定されることを特徴とする、請求項４に記載のＯＦＤＭシンボル時間同期化方法。
【請求項６】
前記第２の入力ＯＦＤＭシンボルの保護区間は、
前記第２の入力ＯＦＤＭシンボルの保護区間及び前記第２の入力ＯＦＤＭシンボルのシンボル内に存在する第２の入力ＯＦＤＭシンボルの保護区間と同一の区間（以下、「シンボル内の保護区間と同一の区間」と略称する）の相関関係が最大になるように設定されることを特徴とする、請求項２または３に記載のＯＦＤＭシンボル時間同期化方法。
【請求項７】
前記第２の入力ＯＦＤＭシンボルの保護区間は、
前記第２の入力ＯＦＤＭシンボルの保護区間及び前記シンボル内の保護区間と同一の区間の相関関係が最大になるように、前記複数の供給ＯＦＤＭシンボルのうちチャンネルインパルス応答が最大のパワーを有するいずれか一つの供給ＯＦＤＭシンボルの時点を前記第２の入力ＯＦＤＭシンボルの保護区間の起点として設定されることを特徴とする、請求項６に記載のＯＦＤＭシンボル時間同期化方法。
【請求項８】
前記第２の入力ＯＦＤＭシンボルの保護区間は、
前記第２の入力ＯＦＤＭシンボルの保護区間及び前記シンボル内の保護区間と同一の区間の相関関係が最大になるように、相関関係指標に基づいて設定されることを特徴とする、請求項６に記載のＯＦＤＭシンボル時間同期化方法。
【請求項９】
前記相関関係指標は、
前記相関関係指標の数値が前記複数の供給ＯＦＤＭシンボルのそれぞれのチャンネルインパルス応答時点で前記複数の供給ＯＦＤＭシンボルのそれぞれのチャンネルインパルス応答のパワーのサイズに対応し、前記複数の供給ＯＦＤＭシンボルのそれぞれのチャンネルインパルス応答時点の前後に算術級数的に減少することを特徴とする、請求項８に記載のＯＦＤＭシンボル時間同期化方法。
【請求項１０】
前記第２の入力ＯＦＤＭシンボルの保護区間は、
前記相関関係指標の各数値の和が最大になる時点を起点として設定されることを特徴とする、請求項９に記載のＯＦＤＭシンボル時間同期化方法。
【請求項１１】
精密周波数変換過程に入力されるＯＦＤＭシンボルを精密時間同期化する方法において、
高速フーリエ変換または復調した複数のＯＦＤＭシンボル（以下、「複数の供給ＯＦＤＭシンボル」と略称する）を受信するステップ；
前記複数の供給ＯＦＤＭシンボルのそれぞれのチャンネルインパルス応答のパワーを把握するステップ；及び
前記複数の供給ＯＦＤＭシンボルのうちチャンネルインパルス応答が最大のパワーを有するいずれか一つの供給ＯＦＤＭシンボルの時点を精密周波数変換過程に入力されるＯＦＤＭシンボルの保護区間の起点として設定するステップ；
を含むことを特徴とするＯＦＤＭシンボル精密時間同期化方法。
【請求項１２】
精密周波数変換過程に入力されるＯＦＤＭシンボルを時間同期化する方法において、
高速フーリエ変換または復調した複数のＯＦＤＭシンボル（以下、「複数の供給ＯＦＤＭシンボル」と略称する）を受信するステップ；
前記複数の供給ＯＦＤＭシンボルのそれぞれのチャンネルインパルス応答のパワーを把握するステップ；
前記複数の供給ＯＦＤＭシンボルのそれぞれのチャンネルインパルス応答時点で前記複数の供給ＯＦＤＭシンボルのそれぞれのチャンネルインパルス応答のパワーのサイズに対応し、前記複数の供給ＯＦＤＭシンボルのそれぞれのチャンネルインパルス応答時点の前後に算術級数的に減少する数値を有する相関関係指標（以下、「相関関係指標」と略称する）を獲得するステップ；及び
前記相関関係指標の各数値の和が最大になる時点を、精密周波数変換過程に入力されるＯＦＤＭシンボルの保護区間の起点として設定するステップ；
を含むことを特徴とするＯＦＤＭシンボル精密時間同期化方法。
【発明の詳細な説明】
【技術分野】
【０００１】
本実施例は、ＯＦＤＭシステムにおいて、ＯＦＤＭシンボルを時間同期化する方法に関する。
【背景技術】
【０００２】
この部分に記述した内容は、単純に本実施例に対する背景情報を提供するものに過ぎず、従来技術を構成するものではない。
【０００３】
図１は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムで送受信されるＯＦＤＭシンボルを示した図である。
【０００４】
ＯＦＤＭシンボル１１０は、ＣＰ（Ｃｙｃｌｉｃ  Ｐｒｅｆｉｘ）１２０及びシンボル１３０を含む。
【０００５】
ＣＰ１２０は、シンボル１３０の前に位置する保護区間（Ｇｕａｒｄ  Ｉｎｔｅｒｖａｌ、ＧＩ）に該当する。通常、ＯＦＤＭシンボルがＯＦＤＭ送信機からＯＦＤＭ受信機に伝達される場合、一つ以上のチャンネルを用いて複数のＯＦＤＭシンボルが伝送される。複数のＯＦＤＭシンボルが伝送される場合において、それぞれのＯＦＤＭシンボルに保護区間が全くない状態で複数のＯＦＤＭシンボルが相次いで伝送されると、ＯＦＤＭシンボル間、特に、ＯＦＤＭシンボル内のシンボル間に干渉（Ｉｎｔｅｒ  Ｓｙｍｂｏｌ  Ｉｎｔｅｒｆｅｒｅｎｃｅ、ＩＳＩ）が発生するようになる。したがって、このような干渉を防止するために、ＣＰ１２０は、シンボル１３０の前に位置するようになる。ＣＰ１２０は、ＣＰと同一の長さを有するシンボルの端部１４０と同一のデータを有する。
【０００６】
シンボル１３０は、伝送しようとするデータを含んでいる部分に該当する。
【０００７】
ＯＦＤＭ受信機は、ＯＦＤＭ送信機から伝送されたＯＦＤＭシンボルを受信する。ＯＦＤＭ受信機は、受信したＯＦＤＭシンボルを高速フーリエ変換（Ｆａｓｔ  Ｆｏｕｒｉｅｒ  Ｔｒａｎｓｆｏｒｍ、ＦＦＴ）し、高速フーリエ変換されたデータを復調することによって所望のデータを抽出する。ただし、ＯＦＤＭシンボルが伝送される過程のドップラー効果により、または、ＯＦＤＭ受信機がＯＦＤＭシンボルを受信して高速フーリエ変換する過程で周波数オフセットが発生するので、ＯＦＤＭ受信機は、高速フーリエ変換によって変換されたデータを復調する過程とは別途に、受信したＯＦＤＭシンボルの周波数同期化（Ｆｒｅｑｕｅｎｃｙ  Ｓｙｎｃｈｒｏｎｉｚａｔｉｏｎ）を用いて、発生した周波数オフセットを除去する。
【０００８】
ＯＦＤＭ受信機は、時間同期化（Ｔｉｍｅ  Ｓｙｎｃｈｒｏｎｉｚａｔｉｏｎ）を用いることによって、受信したＯＦＤＭシンボルのＣＰとシンボルとの境界を把握する。しかし、従来のＯＦＤＭ受信機は、ＯＦＤＭシンボルが高速フーリエ変換されるＯＦＤＭシンボルであるか、それとも、周波数オフセットを除去するために周波数同期化されるＯＦＤＭシンボルであるかを考慮することなく、高速フーリエ変換されるＯＦＤＭシンボルのようにＯＦＤＭシンボルを時間同期化してきた。これにより、特に、マルチパス（Ｍｕｌｔｉｐａｔｈ）環境で周波数同期化を通じて周波数オフセットを除去する際に、予想した結果と多くの誤差を有するようになるという問題が発生した。
【発明の概要】
【発明が解決しようとする課題】
【０００９】
本実施例は、ＯＦＤＭ受信機内でＯＦＤＭシンボルが高速フーリエ変換されるＯＦＤＭシンボルであるか、それとも精密周波数同期化されるＯＦＤＭシンボルであるかによって互いに異なる方式で時間同期化する方法を提供することを主な目的とする。
【課題を解決するための手段】
【００１０】
本実施例の一側面によると、ＯＦＤＭ（Ｏｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数多重分割）送信機から受信し、高速フーリエ変換または変調した複数のＯＦＤＭシンボル（以下、「複数の供給ＯＦＤＭシンボル」と略称する）を受信するステップと、前記複数の供給ＯＦＤＭシンボルを用いて前記高速フーリエ変換過程を経る第１の入力ＯＦＤＭシンボルであるか、それとも精密周波数同期化（Ｆｉｎｅ  Ｆｒｅｑｕｅｎｃｙ  Ｓｙｎｃｈｒｏｎｉｚａｔｉｏｎ）過程を経る第２の入力ＯＦＤＭシンボルであるかによって互いに異なる形に前記第１及び第２の入力ＯＦＤＭシンボルの保護区間を設定するステップとを含むことを特徴とするＯＦＤＭシンボル時間同期化方法を提供する。
【００１１】
本実施例の他の一側面によると、精密周波数変換過程に入力されるＯＦＤＭシンボルを精密時間同期化する方法において、高速フーリエ変換または復調した複数のＯＦＤＭシンボル（以下、「複数の供給ＯＦＤＭシンボル」と略称する）を受信するステップと、前記複数の供給ＯＦＤＭシンボルのそれぞれのチャンネルインパルス応答のパワーを把握するステップと、前記複数の供給ＯＦＤＭシンボルのうちチャンネルインパルス応答が最大のパワーを有するいずれか一つの供給ＯＦＤＭシンボルの時点を、精密周波数変換過程に入力されるＯＦＤＭシンボルの保護区間の起点として設定するステップとを含むことを特徴とするＯＦＤＭシンボル精密時間同期化方法を提供する。
【００１２】
また、本実施例の他の一側面によると、精密周波数変換過程に入力されるＯＦＤＭシンボルを時間同期化する方法において、高速フーリエ変換または復調した複数のＯＦＤＭシンボル（以下、「複数の供給ＯＦＤＭシンボル」と略称する）を受信するステップと、前記複数の供給ＯＦＤＭシンボルのそれぞれのチャンネルインパルス応答のパワーを把握するステップと、前記複数の供給ＯＦＤＭシンボルのそれぞれのチャンネルインパルス応答時点で前記複数の供給ＯＦＤＭシンボルのそれぞれのチャンネルインパルス応答のパワーのサイズに対応し、前記複数の供給ＯＦＤＭシンボルのそれぞれのチャンネルインパルス応答時点の前後に算術級数的に減少する数値を有する相関関係指標（以下、「相関関係指標」と略称する）を獲得するステップと、前記相関関係指標の各数値の和が最大になる時点を、精密周波数変換過程に入力されるＯＦＤＭシンボルの保護区間の起点として設定するステップとを含むことを特徴とするＯＦＤＭシンボル精密時間同期化方法を提供する。
【発明の効果】
【００１３】
以上説明したように、本実施例の一側面によると、高速フーリエ変換されるＯＦＤＭシンボルであるか、それとも精密周波数同期化されるＯＦＤＭシンボルあるかによって互いに異なる方式で時間同期化を行うので、ＯＦＤＭシンボルが高速フーリエ変換または精密周波数同期化されたとしても、誤差を最大限減少する結果を有するという長所がある。
【図面の簡単な説明】
【００１４】
【図１】ＯＦＤＭシステムで送受信されるＯＦＤＭシンボルを示した図である。
【図２】本発明の一実施例に係るＯＦＤＭ受信機を示したブロック図である。
【図３ａ】本発明の一実施例に係る高速フーリエ変換されるＯＦＤＭシンボルを時間同期化する方法を図式化したタイミングダイヤグラムである。
【図３ｂ】本発明の一実施例に係る精密周波数同期化されるＯＦＤＭシンボルを時間同期化する方法を図式化したタイミングダイヤグラムである。
【図４】本発明の他の一実施例に係る精密周波数同期化されるＯＦＤＭシンボルを時間同期化する方法を図式化したタイミングダイヤグラムである。
【図５】本発明の一実施例に係る時間同期化方法を示したフローチャートである。
【発明を実施するための形態】
【００１５】
以下、本発明の一部の実施例を例示的な図面を通じて詳細に説明する。各図面の各構成要素に参照符号を付加するにおいて、同一の構成要素に対しては、たとえ他の図面上に表示されたとしても、可能な限り同一の符号を付与していることに留意しなければならない。また、本発明を説明するにおいて、関連する公知の構成または機能に対する具体的な説明が本発明の要旨を不明瞭にすると判断される場合は、それについての詳細な説明は省略する。
【００１６】
また、本発明の構成要素を説明するにおいて、第１、第２、Ａ、Ｂ、（ａ）、（ｂ）などの用語を使用することができる。このような用語は、その構成要素を他の構成要素と区別するためのものに過ぎず、その用語によって該当の構成要素の本質や順番または順序などが限定されることはない。明細書全体において、いずれかの部分がいずれかの構成要素を「含む」、「備える」としたとき、これは、特別に反対の記載がない限り、他の構成要素を除外するのではなく、他の構成要素をさらに含むことを意味する。また、明細書に記載した「...部」、「モジュール」などの用語は、少なくとも一つの機能や動作を処理する単位を意味し、これは、ハードウェアやソフトウェアまたはハードウェアとソフトウェアとの結合で具現することができる。
【００１７】
図２は、本発明の一実施例によるＯＦＤＭ受信機を示したブロック図である。
【００１８】
図２を参照すると、本発明の一実施例に係るＯＦＤＭ受信機は、ＲＦ部２１０、ＡＤＣ部２２０、デジタルフロントエンド部２３０、大略時間同期化部２４０、保護区間除去部２５０、精密周波数同期化部２６０、高速フーリエ変換部２７０、精密時間同期化部２８０及びその他の復号化部２９０を含む。
【００１９】
ＲＦ部２１０は、ＯＦＤＭ送信機から受信したＲＦ信号をアナログベースバンドベースバンド（Ｂａｓｅｂａｎｄ）信号に変換する役割をする。
【００２０】
ＡＤＣ部２２０は、ＲＦ部で変換されたアナログベースバンド信号をデジタルベースバンド信号に変換する役割をする。
【００２１】
デジタルフロントエンド（Ｄｉｇｉｔａｌ  Ｆｒｏｎｔ  Ｅｎｄ）部２３０は、多様な機能を行うが、具体的には、自動利得制御（Ａｕｔｏｍａｔｉｃ  Ｇａｉｎ  Ｃｏｎｔｒｏｌ、ＡＧＣ）、ＤＣオフセット除去、ＩＱ不整合（Ｉｍｂａｌａｎｃｅ）補償、隣接チャンネル干渉（Ａｄｊａｃｅｎｔ  Ｃｈａｎｎｅｌ  Ｉｎｔｅｒｆｅｒｅｎｃｅ、ＡＣＩ）または同一チャンネル干渉（Ｃｏ―ｃｈａｎｎｅｌ  Ｉｎｔｅｒｆｅｒｅｎｃｅ、ＣＣＩ）除去、キャリア周波数エラー補償、サンプリング周波数エラー補償などの機能を行うことができる。
【００２２】
大略時間同期化（Ｃｏａｒｓｅ  Ｓｙｍｂｏｌ  Ｔｉｍｅ  Ｓｙｎｃｈｒｏｎｉｚａｔｉｏｎ）部２４０は、デジタルフロントエンド部から複数のＯＦＤＭシンボルを受信する場合、大略的にそれぞれのフレームの開始位置を確認する役割をする。このとき、精密に確認するステップではないので、多くの時間誤差が発生する。
【００２３】
保護区間除去部２５０は、大略時間同期化部または精密時間同期化部から受信したＯＦＤＭシンボル内に保護区間として存在するＣＰを除去する役割をする。
【００２４】
精密周波数同期化部２６０は、精密周波数同期化過程を用いて周波数オフセットを除去する役割をする。フーリエ変換やドップラー効果によって周波数オフセットが発生するが、このような周波数オフセットは、高速フーリエ変換後に隣接チャンネル干渉（Ｉｎｔｅｒ  Ｃｈａｎｎｅｌ  Ｉｎｔｅｒｆｅｒｅｎｃｅ）を誘発するので、これを除去する必要がある。精密周波数同期化部は、精密周波数同期化過程を経てこのような周波数オフセットを除去する。
【００２５】
高速フーリエ変換部２７０は、保護区間除去部から保護区間が除去されたＯＦＤＭシンボル内のシンボルを受信し、これを高速フーリエ変換する役割をする。
【００２６】
精密時間同期化（Ｆｉｎｅ  Ｔｉｍｅ  Ｓｙｎｃｈｒｏｎｉｚａｔｉｏｎ）部２８０は、高速フーリエ変換部またはその他の復号化部から互いに異なるパス（Ｐａｔｈ）を通じて受信された複数のＯＦＤＭシンボルを受信し、時間同期化を行った後、保護区間除去部に入力ＯＦＤＭシンボルを出力する。精密時間同期化部は、受信した複数のＯＦＤＭシンボルを用いて保護区間とシンボルとの境界が区分された入力ＯＦＤＭシンボルを出力する。ただし、精密時間同期化部は、入力ＯＦＤＭシンボルが保護区間除去部を経て高速フーリエ変換部に入力されるか、それとも精密周波数変換部に入力されるかによってそれぞれ異なる方式で保護区間とシンボルとの境界を区分する。これについての具体的な説明は、図２及び図３を参照して説明する。
【００２７】
その他の復号化部２９０は、高速フーリエ変換部によってフーリエ変換されたデータを復号化し、所望のデータを出力する役割をする。
【００２８】
以下では、本発明の一実施例に係るＯＦＤＭ受信機が作動する方式を概略的に説明する。
【００２９】
ＯＦＤＭ送信機から最初にＯＦＤＭシンボルを受信する場合は、従来のＯＦＤＭ受信機と同一に作動する。ＯＦＤＭ送信機から受信した信号をアナログ信号に変換した後、これを再びデジタル信号に変換する。このように変換されたＯＦＤＭシンボルを大略信号同期化し、それぞれのフレームを区分した後、保護区間を除去する。このように保護区間が除去されたＯＦＤＭシンボルは、特別に区分されることなく高速フーリエ変換部と精密周波数同期化部に同一に入力される。精密周波数同期化部にＯＦＤＭシンボルが入力される場合、周波数同期化過程を経てデジタルフロントエンド部で周波数エラーを補償する過程を経るようになる。高速フーリエ変換部にＯＦＤＭシンボルが入力されてフーリエ変換された後、その他の復号化部で復号化を経ることによって所望のデータを獲得する。復号化部で復号化過程を経たＯＦＤＭシンボルは、再びデジタルフロントエンド部に入力され、上述した大略時間同期化過程で発生した誤差を補償する。
【００３０】
ただし、本発明の一実施例に係るＯＦＤＭ受信機は、精密時間同期化部で高速フーリエ変換部またはその他の復号化部からＯＦＤＭシンボルを受信する場合、これらを区分せずに一括的に時間同期化するのではなく、ＯＦＤＭシンボルが高速フーリエ変換部に入力されるか、それともその他の復号化部に入力されるかによってそれぞれ時間同期化を異ならせる。このように区分されて時間同期化されたＯＦＤＭシンボルは、保護区間除去部を経ることによって保護区間が除去され、高速フーリエ変換部または精密周波数同期化部に入力されて上述した過程を繰り返す。このように精密時間同期化部で時間同期化するにおいて、どの構成に入力されるＯＦＤＭシンボルであるかを区分して時間同期化するので、発生する誤差を従来に比べて著しく減少させることができる。
【００３１】
図２に示したＯＦＤＭ受信機に含まれた各構成要素は、装置内部のソフトウェア的なモジュールまたはハードウェア的なモジュールを連結する通信経路に連結され、相互間で有機的に作動する。このような構成要素は、一つ以上の通信バスまたは信号線を用いて通信する。
【００３２】
図３ａは、本発明の一実施例に係る高速フーリエ変換されるＯＦＤＭシンボルを時間同期化する方法を図式化したタイミングダイヤグラムである。
【００３３】
時間領域の信号を見ると、互いに異なるパスを通じて高速フーリエ変換部またはその他の復号化部から受信された複数の信号が存在する。いずれか一つの信号を見ると、０、１、２と表示された部分がそれぞれＯＦＤＭシンボルを示す。時間同期化方法を説明するにおいて、それぞれの信号に含まれたＯＦＤＭシンボルのうち１と表示されたＯＦＤＭシンボル（３１０、３１５、３２０）のみを用いて説明し、他のＯＦＤＭシンボルの全てに同一に適用することができる。図３ａには、互いに異なるパスを通じて受信された信号が３個と示され、それぞれの信号に含まれたＯＦＤＭシンボルが３個と示されているが、このとき、個数は一つの例示に過ぎず、必ずしもこれに限定されることはない。
【００３４】
１番目のＯＦＤＭシンボル３１０は、ｔ１で最も小さいパワーのチャンネルインパルス応答（Ｃｈａｎｎｅｌ  Ｉｍｐｕｌｓｅ  Ｒｅｓｐｏｎｓｅ）を有し、２番目及び３番目のＯＦＤＭシンボル３２０、３３０も、それぞれｔ２とｔ３でそれぞれ最も大きいパワー及び中間サイズのパワーのチャンネルインパルス応答を有する。ここで、チャンネルインパルス応答のパワーは、説明の便宜のために任意に設定したものであって、これに限定されることはなく、図３ａに示したものと異なり得る。
【００３５】
この場合、保護区間除去部を経て高速フーリエ変換部に入力されるＯＦＤＭシンボルは、保護区間内にそれぞれのチャンネルの構成成分が最も多く含まれるように保護区間が設定される。保護区間は、既に設定された長さを有しているので、常に全てのチャンネルの構成成分を含むように設定することはできない。したがって、全てのチャンネルの構成成分が含まれるように保護区間を設定しなければならず、構成成分が最も多く含まれるようにするためには、保護区間内にパワーが大きいチャンネルインパルス応答が多く含まれるように保護区間を設定しなければならない。図３ａを参照すると、最もパワーが大きいチャンネルインパルス応答と、中間サイズのパワーを有するチャンネルインパルス応答とを含み、全てのチャンネルの構成成分を含めるように入力ＯＦＤＭシンボルの保護区間をｔ４から開始するように設定する。保護区間の開始点をｔ４に設定することによって全てのチャンネルの構成成分を含み、パワーが大きいチャンネルインパルス応答が全て含まれる。
【００３６】
以上説明したように、保護区間除去部を経て高速フーリエ変換部に入力されるＯＦＤＭシンボルを精密時間同期化するにおいては、それぞれのチャンネルの構成成分が最も多く含まれるように保護区間を設定する。このように既に設定された長さを有する保護区間が設定される場合、同様に、既に設定された長さを有するシンボルも共に設定される。
【００３７】
図３ｂは、本発明の一実施例に係る精密周波数同期化されるＯＦＤＭシンボルを時間同期化する方法を図式化したタイミングダイヤグラムである。
【００３８】
時間領域の信号を見ると、互いに異なるパスを通じて高速フーリエ変換部またはその他の復号化部から受信された複数の信号が存在する。
【００３９】
それぞれのＯＦＤＭシンボル３４０、３５０、３６０は、それぞれｔ５、ｔ６、ｔ７で互いに異なるサイズのパワーを有するチャンネルインパルス応答を有する。
【００４０】
保護区間除去部を経て精密周波数同期化部に入力されるＯＦＤＭシンボルは、ＯＦＤＭシンボル内のＣＰ及びシンボルのＣＰと同一の部分の相関関係が最も大きくなるように保護区間が設定される。ＯＦＤＭシンボル内のＣＰ及びシンボルのＣＰと同一の部分の相関関係が最も大きくなるように設定する際に、簡便な方法で最も大きいパワーを有するチャンネルインパルス応答の時間を起点として保護区間を設定する。これは、ＯＦＤＭシンボル内のＣＰ及びシンボルのＣＰと同一の部分の相関関係がチャンネルインパルス応答のパワーに比例するためである。図３ｂを参照すると、チャンネルインパルス応答のパワーのサイズは、２番目のＯＦＤＭシンボル３５０が最も大きいので、入力ＯＦＤＭシンボルの保護区間は、２番目のＯＦＤＭシンボルのチャンネルインパルス応答が存在する時点であるｔ６を起点として設定される。このようにｔ６を起点として保護区間が設定され、シンボルも保護区間に相次いで存在するように設定される。
【００４１】
以上説明したように、保護区間除去部を経て精密周波数同期化部に入力されるＯＦＤＭシンボルを精密時間同期化する際に、簡便な方法で最も大きいパワーを有するチャンネルインパルス応答の時間を起点として保護区間を設定する。
【００４２】
図４は、本発明の他の一実施例に係る精密周波数同期化されるＯＦＤＭシンボルを時間同期化する方法を図式化したタイミングダイヤグラムである。
【００４３】
時間領域の信号を見ると、互いに異なるパスを通じて高速フーリエ変換部またはその他の復号化部から受信された複数の信号が存在する。
【００４４】
それぞれのＯＦＤＭシンボル４１０、４２０、４３０は、それぞれｔ１、ｔ２、ｔ３で互いに異なるサイズのパワーを有するチャンネルインパルス応答を有する。
【００４５】
それぞれのＯＦＤＭシンボルの相関関係指標をチャンネルインパルス応答のパワーに基づいて獲得する。ここで、相関関係指標は、ＯＦＤＭシンボル内のＣＰ及びシンボルのＣＰと同一の部分の相関関係を把握できる指標であって、時点及び数値がチャンネルインパルス応答時点及びパワーに対応する。相関関係指標は、チャンネルインパルス応答時点でチャンネルインパルス応答のパワーのサイズに対応する数値を有し、チャンネルインパルス応答の時刻を前後にして相関関係指標の数値が算術級数的に減少する。
【００４６】
保護区間除去部を経て精密周波数同期化部に入力されるＯＦＤＭシンボルは、ＯＦＤＭシンボル内のＣＰ及びシンボルのＣＰと同一の部分の相関関係が最も大きくなるように保護区間が設定される。この場合、ＯＦＤＭシンボル内のＣＰ及びシンボルのＣＰと同一の部分の相関関係は、以前に獲得した相関関係指標を用いて把握することができる。
【００４７】
獲得したそれぞれの相関関係指標を合算し、相関関係指標が最も大きい部分を検索する。これは、相関関係指標が最も大きい場合、ＯＦＤＭシンボル内のＣＰ及びシンボルのＣＰと同一の部分の相関関係が最も大きいと把握できるためである。したがって、保護区間除去部を経て精密周波数同期化部に入力されるＯＦＤＭシンボルは、相関関係指標が最も大きい部分の時点を起点として保護区間が設定される。図４を参照すると、２番目のＯＦＤＭシンボルのチャンネルインパルス応答が存在する時点であるｔ２が、相関関係指標が最も大きい時点であるので、この時点を起点として保護区間を設定する。このように保護区間が設定され、これに相次いでシンボルが位置するように設定される。
【００４８】
以上説明したように、保護区間除去部を経て精密周波数同期化部に入力されるＯＦＤＭシンボルを精密時間同期化するにおいて、他の一つの方法でそれぞれのＯＦＤＭシンボルの相関関係指標を計算し、それぞれの相関関係指標の数値の和が最も大きい時点を起点として保護区間を設定する。
【００４９】
図５は、本発明の一実施例に係る時間同期化方法を示したフローチャートである。
【００５０】
高速フーリエ変換部またはその他の復号化部から複数のＯＦＤＭシンボルを受信する（Ｓ５１０）。精密時間同期化部は、高速フーリエ変換部またはその他の復号化部から互いに異なるパスを通じて受信された複数のＯＦＤＭシンボルを受信する。
【００５１】
精密時間同期化されたＯＦＤＭシンボルが高速フーリエ変換部に入力されるかどうかを判断する（Ｓ５２０）。精密時間同期化部は、受信した複数のＯＦＤＭシンボルを用いて時間同期化し、出力するＯＦＤＭシンボルが保護区間除去部を経て高速フーリエ変換部に入力されるか、それとも精密周波数同期化部に入力されるかを判断する。
【００５２】
入力されるＯＦＤＭシンボルの保護区間内に受信した複数のＯＦＤＭシンボルのそれぞれのチャンネルの構成成分が最も多く含まれるように、入力されるＯＦＤＭシンボルの保護区間を設定する（Ｓ５３０）。精密時間同期化部が受信した複数のＯＦＤＭシンボルのそれぞれのチャンネルの構成成分が最も多く含まれるように保護区間を設定する際に、複数のＯＦＤＭシンボルにおけるそれぞれのチャンネルインパルス応答のパワーを考慮する。複数のＯＦＤＭシンボルにおけるそれぞれのチャンネルの構成成分が最も多く含まれるようにするためには、それぞれのチャンネルインパルス応答のパワーの和が最も大きくなるように入力されるＯＦＤＭシンボルの保護区間を設定する。
【００５３】
ＯＦＤＭシンボル内のＣＰ及びシンボルのＣＰと同一の部分の相関関係が最も大きくなるように、入力されるＯＦＤＭシンボルの保護区間を設定する（Ｓ５４０）。一つの実施例として、精密時間同期化部が受信した複数のＯＦＤＭシンボルにおけるそれぞれのチャンネルインパルス応答のパワーを把握し、最も大きいパワーを有するチャンネルインパルス応答が存在する時点を起点として保護区間を設定してもよい。他の実施例として、精密時間同期化部が受信した複数のＯＦＤＭシンボルのそれぞれの相関関係指標を把握し、それぞれの相関関係指標の和が最も大きい時点を起点として保護区間を設定してもよい。ここで、相関関係指標は、ＯＦＤＭシンボル内のＣＰ及びシンボルのＣＰと同一の部分の相関関係を把握できる指標であって、時点及び数値がチャンネルインパルス応答時点及びパワーに対応する。相関関係指標は、チャンネルインパルス応答時点でチャンネルインパルス応答のパワーのサイズに対応する数値を有し、チャンネルインパルス応答の時刻を前後にして相関関係指標の数値が算術級数的に減少する。
【００５４】
図５では、過程Ｓ５１０〜過程Ｓ５４０を順次実行することを記載しているが、これは、本発明の一実施例の技術思想を例示的に説明したものに過ぎない。すなわち、本発明の一実施例の属する技術分野で通常の知識を有する者であれば、本発明の一実施例の本質的な特性から逸脱しない範囲で図５に記載した順序を変更して実行したり、過程Ｓ５１０〜過程Ｓ５４０のうち一つ以上の過程を並列的に実行することに多様に修正及び変形して適用可能であるので、図５は、時系列的な順序に限定されるものではない。
【００５５】
一方、図５に示した各過程は、コンピューターで読み取り可能な記録媒体にコンピューターで読み取り可能なコードとして具現することが可能である。コンピューターで読み取り可能な記録媒体は、コンピューターシステムによって読み取り可能なデータが保存される全ての種類の記録装置を含む。すなわち、コンピューターで読み取り可能な記録媒体は、マグネチック保存媒体（例えば、ＲＯＭ、フロッピーディスク、ハードディスクなど）、光学的判読媒体（例えば、ＣＤ―ＲＯＭ、ＤＶＤなど）及びキャリアウェーブ（例えば、インターネットを介した伝送）などの保存媒体を含む。また、コンピューターで読み取り可能な記録媒体は、ネットワークで連結されたコンピューターシステムに分散され、分散方式でコンピューターで読み取り可能なコードが保存されて実行され得る。
【００５６】
以上の説明は、本実施例の技術思想を例示的に説明したものに過ぎず、本実施例の属する技術分野で通常の知識を有する者であれば、本実施例の本質的な特性から逸脱しない範囲で多様な修正及び変形が可能であろう。したがって、本実施例は、本実施例の技術思想を限定するためのものではなく、説明するためのものであって、このような実施例によって本実施例の技術思想の範囲が限定されることはない。本実施例の保護範囲は、下記の特許請求の範囲によって解釈しなければならず、それと同等な範囲内にある全ての技術思想は本実施例の権利範囲に含まれるものと解釈しなければならないだろう。
【符号の説明】
【００５７】
１１０：ＯＦＤＭシンボル、１２０：保護区間、１３０：シンボル、１４０：シンボルの端部、２１０：ＲＦ部、２２０：ＡＤＣ部、２３０：デジタルフロントエンド部、２４０：大略時間同期化部、２５０：保護区間除去部、２６０：精密周波数同期化部、２７０：高速フーリエ変換部、２８０：精密時間同期化部、２９０：その他の復号化部
【図１】
0006043837.tif 000002
【図２】
0006043837.tif 000003
【図３ａ】
0006043837.tif 000004
【図３ｂ】
0006043837.tif 000005
【図４】
0006043837.tif 000006
【図５】
0006043837.tif 000007